(57)【要約】【課題】ユーザが容易にＩＣカードの抜き差し操作を行えるようにする。【解決手段】回路基板１０を電子機器のＩＣカードスロットに挿入すると、回路基板１０の電極１１は電子機器のＩＣカードスロット内に設けられた接続端子と電気的に接続される。延長ケーブル２０を介して回路基板１０の電極１１と電気的に接続されている接続端子３１を持つＩＣカード差込部３０を、任意の位置に配置する。ＩＣカード４０をＩＣカード差込部３０のカードスロット３３に差し込むと、ＩＣカード４０の電極４１は、ＩＣカード差込部３０のカードスロット３３に設けられた接続端子３１と電気的に接続される。これによってＩＣカード４０の抜き差し操作は容易となる。【選択図】　図１
2004062800.tif 000002
【特許請求の範囲】
【請求項１】
電子機器のＩＣカードスロットに挿着可能に構成され、該ＩＣカードスロットに挿着された状態で該ＩＣカードスロットの接続端子と電気的に接続される回路基板と、
ＩＣカードが挿着可能に構成され、前記回路基板を介して前記電子機器と挿着されたＩＣカードとの通信を可能とするＩＣカード差込部と、
前記回路基板と前記ＩＣカード差込部とを接続するデータ通信経路と、
を備えるＩＣカードスロット延長モジュール。
【請求項２】
前記回路基板は、前記ＩＣカードと実質的に同一の外形と電極配置を備える、ことを特徴とする請求項１に記載のＩＣカードスロット延長モジュール。
【請求項３】
前記回路基板と前記ＩＣカード差込部とは、それぞれ、データを暗号化または復号化する暗号化／復号化回路を備え、
前記回路基板は、前記電子機器からのデータを暗号化して前記ＩＣカード差込部に送信し、ＩＣカード差込部からのデータを復号化して前記電子機器に送信し、
前記ＩＣカード差込部は、前記回路基板からのデータを復号化して挿着されているＩＣカードに送信し、挿着されているＩＣカードからのデータを暗号化して前記回路基板に送信する、
ことを特徴とする請求項１または２に記載のＩＣカードスロット延長モジュール。
【請求項４】
前記ＩＣカード差込部は、前記回路基板の電極と電気的に接続され、かつ前記ＩＣカードの電極と電気的に接続される接続端子を備えることを特徴とする請求項１乃至３のいずれか１項に記載のＩＣカードスロット延長モジュール。
【請求項５】
前記回路基板とＩＣカード差込部とは、無線により前記データ通信経路を形成する無線送受信部を備えていることを特徴とする請求項１乃至４のいずれか１項に記載のＩＣカードスロット延長モジュール。
【請求項６】
前記回路基板は、該回路基板が前記電子機器のＩＣカードスロットに挿入されていることを該電子機器に識別させる識別手段を備えることを特徴とする請求項１乃至５のいずれか１項に記載のＩＣカードスロット延長モジュール。
【発明の詳細な説明】
【０００１】
【発明の属する技術分野】
本発明は、ＩＣ（Ｉｎｔｅｇｒａｔｅｄ　Ｃｉｒｃｕｉｔ）カードスロット延長モジュールに関する。
【０００２】
【従来の技術】
顧客情報をＩＣカードに格納し、このＩＣカードを受信機に挿着することにより、有料放送の受信を可能とする受信システムが実用化されている。このようなシステムを用いて複数局の衛星放送を視聴するには、各衛星放送について個別に受信契約を行い、各放送局用の受信機とＩＣカードとを入手する必要がある。
【０００３】
【発明が解決しようとする課題】
今後は一台の衛星放送受信機で、複数局の有料放送を視聴することが可能になると予想される。このような装置を用いて、複数局の有料放送を視聴する場合には、その時点で視聴したい放送局用のＩＣカードを衛星放送受信機のＩＣカードスロットに挿入する必要がある。従って、ユーザはＩＣカードを頻繁に抜き差しする必要がある。
【０００４】
しかし、ＩＣカードスロットは、通常、受信機の背面等、ユーザの手の届きにくい位置に配置されている。このため、カードの抜き差しが煩雑である。
【０００５】
ＩＣカードスロットを、受信機の前面等の抜き差し容易な位置に配置することも考えられるが、通常、受信機の前面は操作面であり、操作面の面積を小さくし、操作性を悪化させる。また、１つのＩＣカードに、複数局分の情報を格納することも考えられるが、放送局間の取り決めなどが必要であり、現実的でない。
【０００６】
本発明は、上記実状に鑑みてなされたものであり、ＩＣカードの抜き差し操作を容易に行えるようにすることを目的とする。
【０００７】
【課題を解決するための手段】
前記課題を解決するため、本発明の第１の観点に係るＩＣカードスロット延長モジュールは、電子機器のＩＣカードスロットに挿着可能に構成され、該ＩＣカードスロットに挿着された状態で該ＩＣカードスロットの接続端子と電気的に接続される回路基板と、ＩＣカードが挿着可能に構成され、前記回路基板を介して前記電子機器と挿着されたＩＣカードとの通信を可能とするＩＣカード差込部と、前記回路基板と前記ＩＣカード差込部とを接続するデータ通信経路と、を備えることを特徴とする。
このような構成を採用することにより、ユーザはＩＣカードの抜き差し操作を容易に行うことが可能である。
【０００８】
前記回路基板は、前記ＩＣカードと実質的に同一の外形と電極配置を備えてもよい。
【０００９】
前記回路基板と前記ＩＣカード差込部とは、それぞれ、データを暗号化または復号化する暗号化／復号化回路を備え、前記回路基板は、前記電子機器からのデータを暗号化して前記ＩＣカード差込部に送信し、ＩＣカード差込部からのデータを復号化して前記電子機器に送信し、前記ＩＣカード差込部は、前記回路基板からのデータを復号化して挿着されているＩＣカードに送信し、挿着されているＩＣカードからのデータを暗号化して前記回路基板に送信してもよい。
これによってデータ通信経路を通過するデータは、セキュリティ保護されているので、データの漏洩を防止することができる。
【００１０】
前記ＩＣカード差込部は、前記回路基板の電極と電気的に接続され、かつ前記ＩＣカードの電極と電気的に接続される接続端子を備えてもよい。
前記回路基板とＩＣカード差込部とは、無線により前記データ通信経路を形成する無線送受信部を備えてもよい。
前記回路基板は、該回路基板が前記電子機器のＩＣカードスロットに挿入されていることを該電子機器に識別させる識別手段を備えてもよい。
【００１１】
【発明の実施の形態】
以下、本発明の実施の形態に係るＩＣカードスロット延長モジュールについて、衛星放送の受信機に挿着し、有料放送の受信を可能とするＩＣカードに適用した場合を例に、図１乃至図５を参照して詳細に説明する。
【００１２】
（第１の実施の形態）
この実施の形態のＩＣカードスロット延長モジュールは、図１の平面図に示すように、ＩＣカード型の回路基板１０と、ＩＣカード差込部３０と、回路基板１０とＩＣカード差込部３０とを接続する延長ケーブル２０と、から構成されている。
【００１３】
回路基板１０は、ＩＣカードの国際規格であるＩＳＯ／ＩＥＣ７８１６−２に準拠するＩＣカード４０とほぼ同一の外形（形状とサイズ）を有し、図２に示すように、衛星放送衛星放送受信機７０のＩＣカードスロット７２に挿着可能に構成されている。回路基板１０の表面には、電極１１が配置され、その端子構造・サイズ・位置は、ＩＣカード４０の電極４１と同様に形成されており、回路基板１０がＩＣカードスロット７２に挿入されたとき、ＩＣカードスロット７２内に配設されている接続端子７１に電気的に接続される。
【００１４】
回路基板１０の電極１１は、図３に示すように、電源端子Ｔ１１と、グランド端子Ｔ１２と、クロック信号端子Ｔ１３と、リセット信号端子Ｔ１４と、データ入出力端子Ｔ１５とを備えている。電源端子Ｔ１１には、ＩＣチップ１２を駆動するための電源電圧が印加され、グランド端子Ｔ１２にはグランド電圧が印加され、クロック信号端子Ｔ１３には、データをシリアル伝送するために必要なクロック信号が供給される。リセット信号端子Ｔ１４には、データを初期化するために必要な、リセット信号が供給され、データ入出力端子Ｔ１５には、衛星放送受信機７０との間で送受信されるデータが供給される。
【００１５】
図３に示すように、回路基板１０の内部には、通信データを暗号化／復号化するためのＩＣチップ１２が組み込まれている。ＩＣチップ１２は、図４に示すように、電源ポートＰ１と、グランドポートＰ２と、クロック信号ポートＰ３と、リセット信号ポートＰ４と、第１と第２のデータ入出力ポートＰ５とＰ６とを備える。ＩＣチップ１２は、電源ポートＰ１とグランドポートＰ２との間に印加される電圧を電源として、クロック信号ポートＰ３に印加されるクロック信号に同期して動作し、第１のデータ入出力ポートＰ５に供給されるデータを暗号化して第２のデータ入出力ポートＰ６から出力し、また、第２のデータ入出力ポートＰ６に供給されたデータを復号化して第１のデータ入出力ポートＰ５から出力する。
【００１６】
図４に示すように、電極１１の電源端子Ｔ１１と、グランド端子Ｔ１２と、クロック信号端子Ｔ１３と、リセット信号端子Ｔ１４と、データ入出力端子Ｔ１５とは、それぞれ、ＩＣチップ１２の電源ポートＰ１と、グランドポートＰ２と、クロック信号ポートＰ３と、リセット信号ポートＰ４、第１のデータ入出力ポートＰ５にそれぞれ接続されている。
【００１７】
ＩＣカード差込部３０は、図１，２に示すように、ＩＳＯ／ＩＥＣ７８１６に対応したＩＣカード４０が挿抜可能に構成されたカードスロット３３を備える。このカードスロット３３には、ＩＣカード４０が挿入（挿着）されたとき、ＩＣカード４０の電極４１と電気的に接続される接続端子３１が配置されている。
接続端子３１の構成は、衛星放送受信機７０のＩＣカードスロット７２内に配置された接続端子７１と実質的に同一であり、図４に示すように、電源端子Ｔ３１と、グランド端子Ｔ３２と、クロック端子Ｔ３３と、リセット信号端子Ｔ３４と、データ入出力端子Ｔ３５とを含み、ＩＣカード４０が挿着されると、それぞれ、対応する電極Ｔ４１〜Ｔ４５に接触する。
【００１８】
また、図４に示すように、ＩＣカード差込部３０の内部には、通信データを復号化／暗号化するためのＩＣチップ３２が組み込まれている。ＩＣチップ３２は、ＩＣチップ１２と同様に、電源ポートＰ１と、グランドポートＰ２と、クロック信号ポートＰ３と、リセット信号ポートＰ４と、第１と第２のデータ入出力ポートＰ５とＰ６とを備える。電源ポートＰ１は電源端子Ｔ３１に、グランドポートＰ２はグランド端子Ｔ３２に、クロック信号ポートＰ３はクロック信号端子Ｔ３３に、リセット信号ポートＰ４はリセット信号端子Ｔ３４に、第１のデータ入出力ポートＰ５はデータ入出力端子Ｔ３５に、それぞれ接続されている。
【００１９】
図１に示す延長ケーブル２０は、回路基板１０とＩＣカード差込部３０とを電気的に接続するためのものであり、図４に示すように、回路基板１０上の電極１１の電源端子Ｔ１１、グランド端子Ｔ１２、クロック信号端子Ｔ１３，リセット信号端子Ｔ１４，とＩＣカード差込部３０の接続端子３１の電源端子Ｔ３１と、グランド端子Ｔ３２、クロック信号端子Ｔ３３，リセット信号端子Ｔ３４，をそれぞれ接続する電源ラインＬ１、グランドラインＬ２、クロック信号ラインＬ３，リセット信号ラインＬ４、とを備える。延長ケーブル２０は、さらに、ＩＣチップ１２の第２のデータ入出力ポートＰ６とＩＣチップ３２の第２のデータ入出力ポートＰ６とを接続するデータラインＬ５とを備える。なお、クロック信号ラインＬ３には、ＩＣチップ１２，３２での信号処理による信号の遅延にクロック信号を対応させるための遅延回路等を配置してもよい。また、信号間の同期が取れるように、全ての信号をＩＣチップ１２を介して延長ケーブル２０に伝達するようにしてもよい。
【００２０】
次に、本実施の形態の、ＩＣカードスロット延長モジュールの動作について図４を参照して説明する。
【００２１】
回路基板１０が衛星放送受信機７０のＩＣカードスロット７２に挿入されると、回路基板１０の電極１１と、ＩＣカードスロット７２の接続端子７１とが互いに接触する。これにより、電極１１の電源端子Ｔ１１に電源電圧が印加され、グランド端子Ｔ１２が設置され、クロック信号端子Ｔ１３に動作クロック信号が印加される。これらは、ケーブル２０を介してＩＣカード差込部３０の接続端子３１にも伝達される。これにより、動作電圧とクロック信号がＩＣチップ１２と３２に印加され、ＩＣカード差込部３０にＩＣカード４０が挿入されると、衛星放送受信機７０とＩＣカード４０との間で通信ができる状態となる。
【００２２】
ユーザが有料放送を視聴するためには、放送信号のスクランブルを解除しなくてはならない。スクランブルの解除には、ＩＣカード４０に記憶されている契約情報（スクランブル解除用暗号鍵等）が必要である。
【００２３】
例えば、放送事業者Ａの有料放送を視聴したい場合、放送事業者Ａとの契約情報が記憶されているＩＣカード４０を、ＩＣカード差込部３０に挿入する。
【００２４】
衛星放送受信機７０は、ＩＣカード４０に記憶された契約情報を読みとり、受信した放送信号のスクランブルを、契約情報に従って解除する。また、有料放送の課金を行うために視聴履歴をＩＣカード４０に書き込む。
【００２５】
衛星放送受信機７０が、ＩＣカード４０に記憶されている契約情報を読み取る動作を図５を参照して説明する。
【００２６】
衛星放送受信機７０は、契約情報の読み出しを指示する読み出しコマンドＤ１を出力する。このコマンドＤ１は、接続端子７１と電極１１とを介して、ＩＣチップ１２の第１のデータ入出力ポートＰ５に伝達される。ＩＣチップ１２は、この読み出しコマンドＤ１を暗号化し、暗号化読み出しコマンドＤ２を生成して第２のデータ入出力ポートＰ６からデータラインＬ５を介して、クロック信号に同期してシリアルにＩＣカード差込部３０のＩＣチップ３２の第２の入出力ポートＰ６に供給する。ＩＣチップ３２は、この暗号化読み出しコマンドＤ２を復号化し、読み出しコマンドＤ１を再生して、第１のデータ入出力ポートＰ５から接続端子３１を介して、ＩＣカード４０の電極４１に出力する。
【００２７】
ＩＣカード４０は、読み出しコマンドＤ１に応答して、要求された契約情報Ｄ３を読み出し、電極４１のデータ入出力端子Ｔ４５から出力する。契約情報Ｄ３は、データ入出力端子Ｔ３５を介して、ＩＣチップ３２の第１のデータ入出力ポートＰ５に伝達される。ＩＣチップ３２は、この契約情報Ｄ３を暗号化し、暗号化契約情報Ｄ４を生成し、第２のデータ入出力ポートＰ６からデータラインＬ５を介して、回路基板１０のＩＣチップ１２の第２のデータ入出力ポートＰ６に、クロック信号に同期してシリアルに転送する。暗号化契約情報Ｄ４は、延長ケーブル２０を伝送されている間は暗号化されているため、第三者の不当なアクセスから保護されている。ＩＣチップ１２は、この暗号化契約情報Ｄ４を復号化し、契約情報Ｄ３を再生して、第１のデータ入出力ポートＰ５からデータ入出力端子Ｔ１５を介して、衛星放送受信機７０に送信する。
【００２８】
衛星放送受信機７０は、ＩＣカード４０から読み出した契約情報Ｄ３を受信する。そして、衛星放送受信機７０は、放送局から送信されたユーザの契約情報と、ＩＣカード４０に記憶されていたユーザの契約情報とが同一か否か判別する。
【００２９】
放送局から送信された契約情報と、ＩＣカード４０に記憶されていた契約情報とが互いに一致した場合には、衛星放送受信機７０は、受信した放送信号のスクランブルを解除する。これによってユーザは放送事業者Ａの有料放送を視聴することが可能となる。
【００３０】
一方、衛星放送受信機７０は、ＩＣカード４０に、ユーザの有料放送視聴履歴を書き込む。以下、有料放送視聴履歴をＩＣカード４０に書き込む動作を図５を参照して説明する。
【００３１】
衛星放送受信機７０は、書き込みコマンドと書き込みデータ（有料放送視聴履歴データ）Ｄ１とを、接続端子７１、電極１１を介してＩＣチップ１２に出力する。
【００３２】
ＩＣチップ１２は、書き込みコマンドと書き込みデータＤ１を暗号化し、暗号化データＤ２を、延長ケーブル２０を介してＩＣカード差込部３０のＩＣチップ３２にシリアル伝送する。暗号化データＤ２は暗号化されているため、延長ケーブル２０を通過する際には第三者の不当なアクセスから保護される。
【００３３】
ＩＣチップ１２は、暗号化データＤ２を復号化して、書き込みコマンドと書き込みデータＤ１を再生し、接続端子３１及び電極４１を介してＩＣカード４０に与える。ＩＣカード４０は、書き込みコマンドに応答し、提供された視聴履歴データを内部メモリに書き込む。
この後、ＩＣカード４０から書き込み完了通知が、衛星放送受信機７０に送信される。
【００３４】
放送事業者Ａの衛星放送を視聴した後、放送事業者Ｂの有料放送を視聴したい場合には、放送事業者Ａ用のＩＣカード４０をＩＣカード差込部３０から引き抜いて、放送事業者Ｂ用のＩＣカード４０を挿入すればよい。
【００３５】
なお、ＩＣカード４０に記憶されている履歴が初期化される場合には、ＩＣカード４０のＩＣチップは、衛星放送受信機７０から供給されるリセット信号と同期して、データの初期化を行う。これにより不必要な履歴は消去される。
【００３６】
なお、ＩＣカード４０が衛星放送受信機７０のＩＣカードスロット７２に挿着された場合の動作は、従来と同一である。
【００３７】
以上のような構成を採用することにより、本実施の形態のＩＣカードスロット延長モジュールは、以下の利点を有する。
（１）ユーザは、操作し易い位置で、ＩＣカード差込部３０にＩＣカード４０を抜き差しできる。
【００３８】
（２）データ通信経路を通過するデータは暗号化されている。従って、延長ケーブル２０を介して、不正に通信内容を取得・変更することは困難である。即ち、ＩＣカードスロット拡張モジュールは、高度な耐タンパー性を有する。
【００３９】
（第２の実施の形態）
衛星放送受信機７０が、データを暗号化／復号化する機能を備えてもよい。このような構成とすれば、回路基板１０に暗号化／復号化用のＩＣチップ１２を配置しなくてもよい。
【００４０】
この構成の場合には、例えば、衛星放送受信機７０は、ＩＣカードスロット７２にＩＣカード４０が挿入された状態では、データを暗号化せずに出力し、また、ＩＣカード４０から暗号化されていないデータが送信される。一方、回路基板１０がＩＣカードスロット７２に挿入された状態では、衛星放送受信機７０は書き込みデータを暗号化して回路基板１０に出力し（ＩＣカード差込部３０で復号化される）、また、ＩＣカード差込部３０で暗号化されて回路基板１０を介して供給される暗号化データを復号化する。
【００４１】
衛星放送受信機７０が、ＩＣカードスロット７２にＩＣカード４０と回路基板１０とのいずれかが挿着されているかを判別するためには、例えば、回路基板１０に、図６（ａ）に示すような切欠部１３や、図６（ｂ）に示すような穿孔１４を形成し、これをＩＣカードスロット７２に設置した光センサやマイクロスイッチ等のセンサで検知するように構成すればよい。
この実施の形態のＩＣカードスロット延長モジュールの通信動作を図７を参照して説明する。
【００４２】
衛星放送受信機７０のＩＣカードスロット７２に回路基板１０が挿着された場合、前述のセンサが切欠部１３や穿孔１４を検出し、衛星放送受信機７０は回路基板１０が挿着されていることを認識する。衛星放送受信機７０は、ＩＣカード４０にコマンドやデータを送信する場合には、これを暗号化したデータＤ１１を出力する。この暗号化データＤ１１は、回路基板１０と延長ケーブル２０とをそのまま通過し、ＩＣカード差込部３０のＩＣチップ３２に供給される。ＩＣチップ３２は、第１の実施の形態と同様に、提供された暗号化データＤ１１を復号化して、平文のデータＤ１２としてＩＣカード４０に提供する。
【００４３】
一方、ＩＣカード４０が出力した平文のデータＤ１３は、ＩＣカード差込部３０のＩＣチップ３２により暗号化されて暗号化データＤ１４とされ、延長ケーブル２０及び回路基板１０を介して衛星放送受信機７０に送信される。衛星放送受信機７０は、暗号化データＤ１４を復号して処理する。
【００４４】
一方、衛星放送受信機７０のＩＣカードスロット７２にＩＣカード４０が挿着された場合、前述のセンサは切欠部１３や穿孔１４を検出できず、ＩＣカード４０が挿着されていることを認識する。衛星放送受信機７０は、平文でデータをＩＣカード４０に出力し、また、ＩＣカード４０から平文で供給されるデータを処理する。
【００４５】
以上説明した構成を採用することにより、この実施の形態のＩＣカードスロット延長モジュールは、ＩＣチップ１２が不要となるので、構成を簡略化することができる。
【００４６】
なお、上記の例では、図６に示した切欠部１３や穿孔１４の有無を検出することにより、回路基板１０とＩＣカード４０との別を判別したが、判別の手法は任意である。例えば、ＩＣチップの有無でＩＣカード４０と回路基板１０との別を判別することも可能である。この場合、例えば、衛星放送受信機７０は、ＩＣカード４０に対して、特定のアドレスに記録されているデータの読み出しを指示する。この指示に応答して、所期のデータが読みだされた場合には、契約情報を格納したＩＣカード４０が挿着されていると判別し、データを読み出せない場合または所期のデータと異なるデータが読み出された場合には、回路基板１０または規格外のＩＣカードが挿着されたと判別することができる。
【００４７】
（第３の実施の形態）
ＩＣカード４０の抜き差し操作を、更に容易に行えるようにする場合には、延長ケーブル２０の代わりに無線通信経路を設けるとよい。なお、無線送受信部６０は、電源６１を備えており、電源６１は回路駆動に必要な電源電圧をＩＣカード差込部３０及び無線送受信部６０に供給する。
【００４８】
この場合には、例えば、図８に示すように、回路基板１０と、ＩＣカード差込部３０とはそれぞれ、無線送受信部５０と、無線送受信部６０とを備える。
【００４９】
ＩＣカード４０から出力されたデータは、ＩＣカード差込部３０のＩＣチップ３２によって暗号化され、無線送受信部６０により無線送信される。無線送受信部５０は、この無線信号を受信し、受信したデータをＩＣチップ１２によって復号化し、衛星放送受信機７０に伝送する。また、衛星放送受信機７０の出力データは、ＩＣチップ１２によって暗号化され、無線送受信部５０によって無線送受信部６０に送信される。無線送受信部６０によって受信されたデータは、ＩＣチップ３２によって復号化されてＩＣカード４０に与えられる。
【００５０】
このような構成を採用することによって、ＩＣカード差込部３０の配置位置は、延長ケーブル２０によって制限されず、ユーザは自由にＩＣカード差込部３０の配置位置を決定できる。
【００５１】
なお、本発明は上記実施の形態に限定されず、例えば、図９に示すように、回路基板１０及びＩＣカード差込部３０に、それぞれ電極１５、接続端子３４を設けてもよい。これにより、本発明を２チップ型の接続端子を備えたＩＣカードスロット及び電極４１，４２を備えたＩＣカード４０に用いることが可能となる。
また、上記実施の形態において、延長ケーブル２０をシリアル伝送方式として説明したが、パラレル伝送方式としてもよい。また、ＩＣチップ、１２，３２を配置せず、衛星放送受信機７０とＩＣカード４０との間を平文で通信を行うようにしてもよい。
【００５２】
さらに、以上の実施の形態では、衛星放送を受信する受信機用のＩＣカードスロット延長モジュールについて説明したが、他の任意の機器にも同様に適用可能である。
【００５３】
【発明の効果】
以上説明したように、本発明によれば、ＩＣカードの抜き差し操作を容易に行うことが可能である。
【図面の簡単な説明】
【図１】本発明の第１の実施の形態に係るＩＣカードスロット延長モジュールの構成を示す平面図である。
【図２】図１のＩＣカードスロット延長モジュールの使用方法を説明するための平面図である。
【図３】図１の回路基板の構成を示す拡大図である。
【図４】図３の電極の接続関係を説明するための図である。
【図５】図１のＩＣカードスロット延長モジュールの通信動作を説明するための図である。
【図６】図６（ａ）及び図６（ｂ）は、本発明の第２の実施の形態に係るＩＣカードスロット延長モジュールの回路基板を示す平面図である。
【図７】図６のＩＣカードスロット延長モジュールの通信動作を説明するための図である。
【図８】本発明の第３の実施の形態に係るＩＣカードスロット延長モジュールの構成を示す図である。
【図９】本発明の変形例を説明するための平面図である。
【符号の説明】
１０　回路基板
１１　電極
１２　ＩＣチップ
１５　電極
２０　延長ケーブル
３０　ＩＣカード差込部
３１　接続端子
３２　ＩＣチップ
３４　接続端子
５０　無線送受信部
６０　無線送受信部
【図１】
2004062800.tif 000003
【図２】
2004062800.tif 000004
【図３】
2004062800.tif 000005
【図４】
2004062800.tif 000006
【図５】
2004062800.tif 000007
【図６】
2004062800.tif 000008
【図７】
2004062800.tif 000009
【図８】
2004062800.tif 000010
【図９】
2004062800.tif 000011